(57)【要約】【課題】燃焼排ガス成分の空調空間への流入を防止し、デシカントロータの吸着剤やシール材を適切に作用する温度域に再生ガスの温度を保ち、デシカントロータが腐食することを抑制し、より低温な冷房空気とかより低絶対湿度の乾燥空気を得ること。【解決手段】デシカントロータ１より上流側に設置した処理空気ブロワ１４を起動してから燃焼排ガス３０を供給する順序で起動し、出口パージ空気２６を高温ガス２７と合流させ再生ガス１２とする構成とし、入口再生ガス１２が充分高温の場合、合流流量を大きくしたり、燃焼排ガス３０の供給を停止した後、デシカントロータ１を充分な角度だけ回転させてから、処理空気ブロワ１４を停止する手順で停止する。【選択図】  図２
2004257710.tif 000002
【特許請求の範囲】
【請求項１】
吸着剤を担持したロータを回転させ、前記吸着剤を、高相対湿度である処理空気から水分を吸着する領域と、低相対湿度である再生ガスへ水分を放出させる領域とに連続的に入れ替えることで、前記処理空気を除湿する除湿装置を有する空気調和装置において、
前記再生ガスとして燃焼排ガスあるいは燃焼排ガスを含むガスを用い、前記処理空気を搬送する処理空気ブロワを前記ロータより上流側に設置し、前記空気調和装置の起動を、前記処理空気ブロワを起動してから前記再生ガスを供給する順序で行う、ことを特徴とする空気調和装置。
【請求項２】
吸着剤を担持したロータを回転させ、前記吸着剤が、高相対湿度である処理空気から水分を吸着する領域と、低相対湿度である再生ガスへ水分を放出させる領域とに連続的に入れ替えることで、前記処理空気を除湿する除湿装置を有する空気調和装置において、
前記再生ガスとして燃焼排ガスあるいは燃焼排ガスを含むガスを用い、前記再生ガスを搬送する再生ガスブロワを前記ロータより下流側に設置し、前記空気調和装置の起動を、前記ガスブロワを起動してから前記再生ガスを供給する順序で行う、ことを特徴とする空気調和装置。
【請求項３】
吸着剤を担持したロータを回転させ、前記吸着剤が、高相対湿度である処理空気から水分を吸着する領域と、低相対湿度である再生ガスへ水分を放出させる領域とに連続的に入れ替えることで、前記処理空気を除湿する除湿装置を有する空気調和装置において、
前記再生ガスとして燃焼排ガスあるいは燃焼排ガスを含むガスを用い、前記吸着剤が再生ゾーンから吸着ゾーンに移動する間の領域にパージゾーンを設け、前記ロータの前記パージゾーンにパージ空気を通過させ、前記パージ空気を供給するブロワを前記ロータより上流側に設置し、前記空気調和装置の起動を、前記ブロワにより前記パージ空気を前記ロータに流通させてから、前記再生ガスを供給する順序で行う、ことを特徴とする空気調和装置。
【請求項４】
吸着剤を担持したロータを回転させ、前記吸着剤が、高相対湿度である処理空気から水分を吸着する領域と、低相対湿度である再生ガスへ水分を放出させる領域とに連続的に入れ替えることで、前記処理空気を除湿する除湿装置を有する空気調和装置において、
前記再生ガスとして燃焼排ガスあるいは燃焼排ガスを含むガスを用い、前記空気調和装置を停止するときは、前記再生ガスの供給を停止してから前記処理空気を搬送するブロワを停止する、ことを特徴とする空気調和装置。
【請求項５】
吸着剤を担持したロータを回転させ、前記吸着剤が、高相対湿度である処理空気から水分を吸着する吸着ゾーンと、低相対湿度である再生ガスへ水分を放出させる再生ゾーンとに連続的に入れ替えることで、前記処理空気を除湿する除湿装置を有する空気調和装置において、
前記再生ガスとして高温ガスを用い、前記ロータの吸着剤が前記再生ゾーンから前記吸着ゾーンに移動する間の領域にパージゾーンを設け、前記ロータの前記パージゾーンを通過したパージ空気を前記高温ガスと合流させて前記再生ガスとする構成にし、前記再生ガスの温度が前記ロータとその周辺部材に適当な温度まで低くなるような流量の前記パージ空気を流す、ことを特徴とする空気調和装置。
【請求項６】
吸着剤を担持したロータを回転させ、前記吸着剤が高相対湿度である処理空気から水分を吸着する吸着ゾーンと、低相対湿度である再生ガスへ水分を放出させる再生ゾーンとに連続的に入れ替えることで、前記処理空気を除湿する除湿装置を有する空気調和装置において、
前記再生ガスに高温ガスを用い、前記吸着剤が前記再生ゾーンから前記吸着ゾーンに移動する間の領域にパージゾーンを設け、前記ロータの前記パージゾーンを通過したパージ空気を前記高温ガスと合流させて前記再生ガスとする構成にし、前記空気調和装置の起動を、前記ロータを通過したパージ空気を高温ガスの流路に流入させてから高温ガスを供給する順序で行う、ことを特徴とする空気調和装置。
【請求項７】
吸着剤を担持したロータを回転させ、前記吸着剤が、高相対湿度である処理空気から水分を吸着する吸着ゾーンと、低相対湿度である再生ガスへ水分を放出させる再生ゾーンとに連続的に入れ替えることで、前記処理空気を除湿する除湿装置を有する空気調和装置において、
前記再生ガスとして高温ガスを用い、前記吸着剤が前記再生ゾーンから前記吸着ゾーンに移動する間の領域にパージゾーンを設け、前記ロータの前記パージゾーンを通過したパージ空気を前記高温ガスと合流させて前記再生ガスとする構成にし、前記再生ガスが充分高温の場合、前記パージ空気を送風させるブロワの回転数を大きくする、ことを特徴とする空気調和装置。
【請求項８】
吸着剤を担持したロータを回転させ、前記吸着剤が、高相対湿度である処理空気から水分を吸着する吸着ゾーンと、低相対湿度である再生ガスへ水分を放出させる再生ゾーンとに連続的に入れ替えることで、前記処理空気を除湿する除湿装置を有する空気調和装置において、
前記再生ガスとして高温ガスを用い、前記ロータの吸着剤が前記再生ゾーンから前記吸着ゾーンに移動する間の領域にパージゾーンを設け、前記ロータの前記パージゾーンを通過したパージ空気を前記高温ガスと合流させて前記再生ガスとし、前記パージ空気の流量を調節する弁を具備した構成とし、前記再生ガスが充分高温の場合、前記弁の開度を大きくする、ことを特徴とする空気調和装置。
【請求項９】
吸着剤を担持したロータを回転させ、前記吸着剤が、高相対湿度である処理空気から水分を吸着する吸着ゾーンと、低相対湿度である再生ガスへ水分を放出させる再生ゾーンとに連続的に入れ替えることで、前記処理空気を除湿する除湿装置を有する空気調和装置において、
前記再生ガスとして高温ガスを用い、大気を前記高温ガスと合流させて前記再生ガスとする配管を設け、前記再生ガスを搬送するブロワを前記合流箇所より下流側に設置する、ことを特徴とする空気調和装置。
【請求項１０】
吸着剤を担持したロータを回転させ、前記吸着剤が、高相対湿度である処理空気から水分を吸着する吸着ゾーンと、低相対湿度である再生ガスへ水分を放出させる再生ゾーンとに連続的に入れ替えることで、前記処理空気を除湿する除湿装置を有する空気調和装置において、
前記再生ガスに高温ガスを用い、大気を前記高温ガスと合流させて前記再生ガスとする配管を設け、前記配管に前記大気の流量を調節する弁を具備し、前記再生ガスを搬送するブロワを前記弁より下流側に設置した構成とし、前記再生ガスが充分高温の場合に前記弁の開度を大きくする、ことを特徴とする空気調和装置。
【請求項１１】
吸着剤を担持したロータを回転させ、前記吸着剤が、高相対湿度である処理空気から水分を吸着する吸着ゾーンと、低相対湿度である再生ガスへ水分を放出させる再生ゾーンとに連続的に入れ替えることで、前記処理空気を除湿する除湿装置を有する空気調和装置において、
前記再生ガスとして高温ガスを用い、大気を前記高温ガスと合流させて前記再生ガスとする配管を設け、前記配管に開閉弁を具備し、前記再生ガスを搬送するブロワを前記弁より下流側に設置した構成とし、前記空気調和装置の起動を、前記開閉弁を開放して前記再生ガスを搬送するブロワを稼動させ、前記大気を前記高温ガスの流路に流入させてから前記高温ガスを供給する順序で行う、ことを特徴とする空気調和装置。
【請求項１２】
吸着剤を担持したロータを回転させ、前記吸着剤が、高相対湿度である処理空気から水分を吸着する吸着ゾーンと、低相対湿度である再生ガスへ水分を放出させる再生ゾーンとに連続的に入れ替えることで、前記処理空気を除湿する除湿装置を有する空気調和装置において、
前記再生ガスとして高温ガスを用い、前記高温ガスを前記ロータに送風する配管を分岐し、大気に前記高温ガスを放出する放出配管を設け、前記放出配管と、前記高温ガス配管の分岐点より下流位置とにそれぞれ開閉弁を設けた構成とし、前記空気調和装置の非運転時に前記高温ガスを発生させるときは、前記放出配管の開閉弁を開いて前記高温ガス配管の開閉弁を閉じる、ことを特徴とする空気調和装置。
【請求項１３】
吸着剤を担持したロータを回転させ、前記吸着剤が、高相対湿度である処理空気から水分を吸着する吸着ゾーンと、低相対湿度である再生ガスへ水分を放出させる再生ゾーンとに連続的に入れ替えることで、前記処理空気を除湿する除湿装置を有する空気調和装置において、
前記再生ガスに高温ガスを用い、前記ロータの吸着剤が前記再生ゾーンから前記吸着ゾーンに移動する間の領域にパージゾーンを設け、前記高温ガスを前記ロータに送風する配管を分岐し、大気に前記高温ガスを放出する放出配管を設け、前記放出配管と、前記高温ガス配管の分岐点より下流位置とにそれぞれ開閉弁を設けた構成とし、前記空気調和装置を停止するときは、前記放出配管の開閉弁を開いて前記高温ガス配管の開閉弁を閉じてからパージ空気を供給するブロワを停止する、ことを特徴とする空気調和装置。
【請求項１４】
吸着剤を担持したロータを回転させ、吸着剤が、高相対湿度である処理空気から水分を吸着する吸着ゾーンと、低相対湿度である再生ガスへ水分を放出させる再生ゾーンとに連続的に入れ替えることで、処理空気を除湿する除湿装置を有し、除湿あるいは冷房を実施する空気調和装置において、
前記再生ガスとして高温ガスを用い、前記高温ガスを前記ロータに送風する配管を分岐し、大気に前記高温ガスを放出する放出配管を設け、前記放出配管と、前記高温ガス配管の分岐点より下流位置にそれぞれ開閉弁を設けた構成とし、前記再生ガスが充分高温の場合に前記放出配管の開閉弁の開度を大きくするか、または前記高温ガス配管の開閉弁の開度を小さくする、ことを特徴とする空気調和装置。
【請求項１５】
吸着剤を担持したロータを回転させ、前記吸着剤が、高相対湿度である処理空気から水分を吸着する吸着ゾーンと、低相対湿度である再生ガスへ水分を放出させる再生ゾーンとに連続的に入れ替えることで、前記処理空気を除湿する除湿装置を有する空気調和装置において、
前記再生ガスに燃焼排ガスあるいは燃焼排ガスを含むガスを用い、前記空気調和装置を停止するときは、前記燃焼排ガスの供給を停止し、次いで前記ロータを充分な角度だけ回転させた後、前記処理空気を搬送するブロワを停止する、ことを特徴とする空気調和装置。
【請求項１６】
吸着剤を担持したロータを回転させ、前記吸着剤が、高相対湿度である処理空気から水分を吸着する吸着ゾーンと、低相対湿度である再生ガスへ水分を放出させる再生ゾーンとに連続的に入れ替えることで、前記処理空気を除湿する除湿装置を有する空気調和装置において、
前記再生ガスとして燃焼排ガスあるいは燃焼排ガスを含むガスを用い、前記吸着剤が前記再生ゾーンから前記吸着ゾーンに移動する間の領域にパージゾーンを設け、パージ空気を供給するブロワを前記ロータより上流側に設置し、前記処理空気の流路に開閉弁を設けた構成にし、装置を停止するときは、前記燃焼排ガスの供給を停止した後、前記開閉弁を閉じて前記ロータを充分に回転させた後、前記パージ空気を供給するブロワを停止する、ことを特徴とする空気調和装置。
【請求項１７】
吸着剤を担持したロータを回転させ、前記吸着剤が、高相対湿度である処理空気から水分を吸着する吸着ゾーンと、低相対湿度である再生ガスへ水分を放出させる再生ゾーンとに連続的に入れ替えることで、前記処理空気を除湿する除湿装置を有する空気調和装置において、
前記処理空気を搬送するブロワより上流の大気配管に、空調を施した空間の空気を搬送する配管を合流させる構成とする、ことを特徴とする空気調和装置。
【請求項１８】
雰囲気相対湿度の増加に対する吸着水分量の増加が、相対湿度５％以下の領域で急峻な部分を持つ特性である材料を、前記吸着剤として使用する、ことを特徴とする請求項１７に記載の空気調和装置。
【請求項１９】
吸着剤を担持し、気体が流通できるロータを回転させ、前記吸着剤が、高相対湿度である処理空気から水分を吸着する吸着ゾーンと、低相対湿度である再生ガスへ水分を放出させる再生ゾーンとに連続的に入れ替えることで、前記処理空気を除湿する除湿装置を有して除湿あるいは冷房を実施する空気調和装置において、
前記再生ガスとして燃焼排ガスあるいは燃焼排ガスを含むガスを用い、雰囲気相対湿度の増加に対する吸着水分量の増加が、相対湿度５％以下の領域で急峻な部分を持つ特性である材料を、前記吸着剤として使用する、ことを特徴とする空気調和装置。
【発明の詳細な説明】
【０００１】
【発明の属する技術分野】
本発明は、吸着剤を用いた除湿装置、およびこの除湿装置を用いた冷房装置としての空気調和装置に関する。
【０００２】
【従来の技術】
吸着剤を用いた従来の除湿装置の一例を、図６に示す。この図６において、デシカントロータ１は、セラミック繊維などから構成されたハニカム構造のロータであり、気体が流通できる。ハニカム基材の表面は、水分を吸着する性質を持つ、シリカゲルやゼオライト等の吸着剤を担持しており、周囲雰囲気の相対湿度が高いほど吸着剤の吸着水分量は多い。
【０００３】
デシカントロータ１は、駆動ベルト２を介してモータ３により低速回転される。デシカントロータ１の前後には、破線で示す第１ケーシング６および第２ケーシング７が設けられ、各ケーシングの内部にはそれぞれ仕切板４，５が設けられている。デシカントロータ１は、表面に接触している仕切板４，５により吸着領域（ゾーン）８と再生領域（ゾーン）９とに領域分割される。
【０００４】
吸着ゾーン８には、処理空気ブロワ１により大気等の処理空気１０を流通させる。処理空気１０中の水分は吸着剤に吸着されるから、乾燥空気１１となる。そして吸着ゾーン８にあった吸着剤は、ロータ回転により再生ゾーン９に移動する。
【０００５】
再生ゾーン９には、大気１６を電気ヒータ等の加熱器１７により加熱した再生ガスを、再生ガスブロワ１５により流通させる。入口再生ガス１２は、温度が高いため相対湿度が低いので、吸着剤から水分が脱け、出口再生ガス１３に与えられる。水分が奪われた吸着剤は、再び処理ゾーン８に移動するので、吸着と脱水を連続的に繰り返す。このような過程により、処理空気１０を除湿し乾燥空気１１を連続的に製造することができる。
【０００６】
図１では、大気１６を加熱器１７で加熱して入口再生ガス１２としているが、基が大気でなくても、また加熱手段が何であっても、低相対湿度のガスであればよい。乾燥空気１１は、乾燥空気自体が要求されている空調空間４４に送られる。なお、図には示していないが、ケーシング６，７と仕切板４，５は、デシカントロータ１の前後の端面に接している部分にシール構造３３が設けられており、シール材料が、デシカントロータ１のハニカム端面あるいはロータ外周枠に接して摺動している。
【０００７】
図７は、乾燥空気１１から冷風を製造する冷房装置を示すものである。なお、再生ガスゾーン９と吸着ゾーン８のロータ端面の面積比は、図６では１対１であったが、図７では１対３として描いている。乾燥空気１１は、デシカントロータ１１を通過する際、吸着熱を受けて温度上昇するので、冷却水１９を用いた隔壁式の熱交換器である顕熱冷却器１８により冷却する。
【０００８】
乾燥空気１１は冷却されて中温乾燥空気２０になり、冷却水１９はより高温になる。冷却水１９は冷却塔（図示せず）により大気温度程度まで冷却してから循環させてもよいし、上水を供給して得られる高温になった温水は活用するようにしてもよい。
【０００９】
また、顕熱冷却器１８は水冷でなく、大気等を用いて空冷してもよい。図示していないが、この中温乾燥空気２０を、冷房負荷の低減のために、空調空間４４に送ることもある。中温乾燥空気２０を水噴霧器２１に流通させ、ここでは上水２２を噴霧する。
【００１０】
この上水２２は、噴霧ノズルの汚れ詰まりを抑制するために、純水装置（図に記していない）を通過させてから噴霧する場合もある。上水２２は、蒸発する際に蒸発熱を奪うので、中温乾燥空気２０は湿度が上がると共に温度が低下し、冷房空気２３になる。この冷房空気２３を、冷房を要求している空調空間４４に送る。上述した乾燥空気製造あるいは冷房空気製造のユニットを、デシカント空気調和装置と呼ぶ。
【００１１】
図８は、ロータ回転（回転方向４６）に伴い、吸着剤が再生ゾーン９から吸着ゾーン８に移動するまでにパージゾーン２４を通過させる方式の一例を示す。パージゾーン２４を通過するパージ空気のフロー構成には、どの気体をどの方向に流してどこへ戻すか等に関して数種類ある。
【００１２】
乾燥空気１１製造以降については、記載を省略している。大気３２を処理空気９と入口パージ空気２５に分岐し、パージゾーン２４を流通させる。出口パージ空気２６は加熱器１７で製造した高温ガス２７に合流させ、合流後のガスを再生ガス１１とする。
【００１３】
再生ガス１１で加熱された再生ガスゾーン９の固体壁面を、入口パージ空気２５によって冷却することで、吸着ゾーン８の雰囲気温度上昇を抑制し、これにより吸着量の低下を防止する。出口パージ空気２６は温度上昇しているが、高温ガス２７に合流させることで、再生ガス１２から受け取った熱エネルギを回収し利用する。
【００１４】
図９は、分散型電源の１種であるマイクロガスタービン２４の排ガスを、再生ガスに利用した場合を示す。再生ガス１２の製造に、工場プロセスや、ガスエンジン等の分散型電源の排熱を使用すると、加熱器１７に電気ヒータを用いた場合の消費エネルギが削減される。工場プロセスで発生した蒸気や、分散型電源の排ガスで加熱して製造した温水により、大気１６を加熱することもできるし、排ガス３０を再生ガス１１に変換することもできる。
【００１５】
ここで、乾燥空気１１の製造以降に関する要素は、記載を省略している。再生ガスブロワ１５はなくてもよい。マイクロガスタービン４７は、燃料２８および燃焼用空気２９を受け、発電すると同時に、高温の排ガス３０を排出する。デシカントロータ１の吸着剤や前後のシール構造３３のシール材料が長期間にわたって正常に作用する耐熱温度は、排ガス３０の温度より低い。
【００１６】
加熱器１７による再生ガス製造の場合は加熱量を調節するが、この場合は、たとえば排ガス冷却器４５により耐熱温度以下に冷却する。冷却水３１として上水を供給すると、利用可能な温水が製造される。この場合、電気、冷房空気および温水が生成されるコジェネレーションシステムになっている。
【００１７】
【発明が解決しようとする課題】
ところで、上記の空気調和装置には、次のような４つの課題がある。
まず、第１の課題は、次の通りである。分散型電源の排ガス３０に限らず、燃焼排ガスを再生ガス１１に変換する場合、燃焼排ガスは一酸化炭素を始めとする有害成分を含有しているので、デシカントロータ１付近において乾燥空気１１に混入して、居住空間などの空調空間４４に流入する恐れがある。
【００１８】
また、第２の課題は、次の通りである。システムの運転状態が変動しても、再生ガス１２をデシカントロータ１やシール構造３３の耐熱温度以下に保ち、また正常に作用するのに適切な温度域まで低くする必要がある。とくにマイクロガスタービンの燃焼排ガス３０を利用する場合、排ガス冷却器４５を設けると、燃焼排ガス３０の圧力損失が高くなるので、ガスタービン発電量が低下する。仮に、圧力損失を補うために再生ガスブロワ１５の昇圧を増やすとすると、消費電力が大きくなってしまう。
【００１９】
また、第３の課題は、次の通りである。燃料や燃焼条件によっては燃焼排ガスはＮＯｘやＳＯｘ等の酸性ガスを充分に含有するので、デシカントロータ１を構成する吸着剤やハニカム基材には、燃焼排ガスに含有するＮＯｘやＳＯｘ等の酸性ガスにより硝酸、硫酸といった酸性液体が発生すると、腐食する種類がある。腐食が進むと吸着量や強度が低下し、空気調和装置が成り立たなくなる。このため、燃焼排ガスを再生ガス１１に変換する場合、耐酸性化対策が必要になる。とくに、酸性ガスがデシカントロータ１に通じる流路にあり、温度が高温でない場合、吸着剤表面に水分を充分に吸着する上、酸性液体も存在し易いので、次第に腐食が進む可能性がある。
【００２０】
そして、第４の課題は、冷房空気製造の場合、より温度の低い冷房空気が、乾燥空気製造の場合はより絶対湿度の低い乾燥空気が望まれている、ということである。
【００２１】
本発明は、上記の点を考慮してなされたもので、次のような目的を有する。
まず、本発明は、居住空間あるいは対象に適した空調空気を形成し得る空気調和装置を提供することを目的とする。
また、本発明は、デシカントロータ等を過酷な動作環境下に置かずに動作させ得る空気調和装置を提供することを目的とする。
【００２２】
また、本発明は、デシカントロータを構成する吸着剤やハニカム基材から酸性液体を排除するような空気調和装置を提供することを目的とする。
さらに、本発明は、十分に温度の低い冷房空気、または十分に絶対湿度の低い乾燥空気を供給する空気調和装置を提供することを目的とする。
【００２３】
【課題を解決するための手段】
上記目的達成のため、本発明では、各請求項記載の下記のような手段を提供するものである（符号は，図１ないし図５における各要素の符号である。）。
【００２４】
請求項１記載の第１の手段は、処理空気ブロワ１４をデシカントロータ１より上流側に設置し、デシカント空調ユニットの起動を、処理空気ブロワ１４を起動してから燃焼排ガス３０を供給する順序で行う。
【００２５】
請求項２記載の第２の手段は、再生ガスブロワ１５をデシカントロータ１より下流側に設置し、デシカント空調ユニットの起動を、再生ガスブロワ１５を起動してから燃焼排ガス３０を供給する順序で行う。
【００２６】
請求項３記載の第３の手段は、デシカントロータ１の吸着剤が再生ゾーン９から吸着ゾーン８に移動する間の領域にパージゾーン２４を設け、パージ空気２５を供給するブロワをデシカントロータ１より上流側に設置し、デシカント空調ユニットの起動を、前記ブロワによりパージ空気２５をデシカントロータ１に流通させてから、燃焼排ガス３０を供給する順序で行う。
【００２７】
請求項４記載の第４の手段は、デシカント空調ユニット運転を停止する時は、燃焼排ガス３０の供給を停止してから、処理空気ブロワ１４を停止する。
【００２８】
請求項５記載の第５の手段は、デシカントロータ１の吸着剤が再生ゾーン９から吸着ゾーン８に移動する領域にパージゾーン２４を設け、出口パージ空気２６を高温ガス２７と合流させて再生ガス１２とする構成にし、入口再生ガス１２の温度がデシカントロータ１の吸着剤とシール材に適当な温度まで低くなるような流量のパージ空気２６を流す。
【００２９】
請求項６記載の第６の手段は、デシカントロータ１の吸着剤が再生ゾーン９から吸着ゾーン８に移動する領域にパージゾーン２４を設け、出口パージ空気２６を高温ガス２７と合流させて再生ガス１２とする構成にし、デシカント空調ユニットの起動を、出口パージ空気２６を高温ガス２７の流路に流入させてから、高温ガス２７を供給する順序で行う。
【００３０】
請求項７記載の第７の手段は、デシカントロータ１の吸着剤が再生ゾーン９から吸着ゾーン８に移動する間の領域にパージゾーン２４を設け、出口パージ空気２６を高温ガス２７と合流させて再生ガス１２とする構成とし、入口再生ガス１２が充分高温の場合、パージ空気２６を送風させるブロワの回転数を大きくする。
【００３１】
請求項８記載の第８の手段は、デシカントロータ１の吸着剤が再生ゾーン９から吸着ゾーン８に移動する間の領域にパージゾーン２４を設け、出口パージ空気２６を高温ガス２７と合流させて再生ガス１２とし、パージ空気２６流量を調節する弁を具備した構成とし、入口再生ガス１２が充分高温の場合、前記弁の開度を大きくする。
【００３２】
請求項９記載の第９の手段は、大気を高温ガス２７と合流させて再生ガス１２とする配管を設け、再生ガスブロワ１５を合流箇所より下流側に設置する。
【００３３】
請求項１０記載の第１０の手段は、大気３５を高温ガス２７と合流させて再生ガス１２とする大気配管を設け、大気配管に大気流量を調節する弁を具備し、再生ガスブロワ１５を弁３６より下流側に設置した構成とし、入口再生ガス１２が充分高温の場合、前記弁の開度を大きくする。
【００３４】
請求項１１記載の第１１の手段は、大気を高温ガス２７と合流させて再生ガス１２とする大気配管を設け、大気配管に開閉弁を具備し、再生ガスブロワ１５を弁より下流側に設置した構成とし、デシカント空調ユニットの起動を、開閉弁を開放し、再生ガスブロワ１５を稼動させ、大気を高温ガス２７の流路に流入させてから、高温ガス２７を供給する順序で行う。
【００３５】
請求項１２記載の第１２の手段は、高温ガス２７をデシカントロータ１に送風する配管を分岐し、大気に高温ガス２７を放出する配管を設け、放出配管と、高温ガス配管の分岐点より下流位置にそれぞれ開閉弁を設けた構成とし、デシカント空調ユニット非運転時に高温ガス２７を発生させる時は、放出配管開閉弁を開き、高温ガス開閉弁を閉じる。
【００３６】
請求項１３記載の第１３の手段は、デシカントロータ１にパージ空気２５を流通させるパージゾーン２４を設け、高温ガス２７をデシカントロータ１に送風する配管を分岐し、大気に高温ガス２７を放出する配管を設け、放出配管と、高温ガス配管の分岐点より下流位置にそれぞれ開閉弁を設けた構成とし、デシカント空調ユニット運転を停止する時は、放出配管開閉弁を開き、高温ガス開閉弁を閉じてから、パージ空気２６を供給するブロワを停止する。
【００３７】
請求項１４記載の第１４の手段は、高温ガス２７をデシカントロータ１に送風する配管を分岐し、大気に高温ガス２７を放出する配管を設け、放出配管と、高温ガス配管の分岐点より下流位置にそれぞれ開閉弁を設けた構成とし、入口再生ガス１２が充分高温の場合、放出配管開閉弁の開度を大きくするか、または高温ガス開閉弁の開度を小さくする。
【００３８】
請求項１５記載の第１５の手段は、デシカント空調ユニットの停止時、燃焼排ガス３０の供給を停止した後、デシカントロータ１を充分な角度、回転させた後、処理空気ブロワ１４を停止する。
【００３９】
請求項１６記載の第１６の手段は、デシカントロータ１にパージ空気２５を流通させるパージゾーン２４を設け、パージ空気２５を供給するブロワをデシカントロータ１より上流側に設置し、処理空気流路に開閉弁を設けた構成にし、デシカント空調ユニットの停止時、燃焼排ガス３０の供給を停止した後、開閉弁を閉じ、デシカントロータ１を充分に回転させた後、パージ空気２５を供給するブロワを停止する。
【００４０】
請求項１７記載の第１７の手段は、処理空気ブロワ１４より上流の大気配管に、空調空間の空気、すなわち還気の配管を合流させる構成とする。
【００４１】
請求項１８記載の第１８の手段は、第１７の手段の構成で、雰囲気相対湿度の増加に対する吸着水分量の増加が、相対湿度５％以下の領域で急峻な部分を持つ特性である材料を、デシカントロータ１の吸着剤として使用する。
【００４２】
請求項１９記載の第１９の手段は、燃焼排ガス３０を再生ガス１２に変換する構成で、雰囲気相対湿度の増加に対する吸着水分量の増加が、相対湿度５％以下の領域で急峻な部分を持つ特性である材料を、デシカントロータ１の吸着剤として使用する。
【００４３】
【作用】
第１および第２の手段によれば、処理空気流路の静圧が再生ガス流路の静圧より高いので、再生ガス１２は乾燥空気１１へ流出しない。
【００４４】
第３の手段によれば、パージ空気流路の静圧が再生ガス流路の静圧より高いので、再生ガス１２はパージ空気２６へ流出せず、再生ガス１２はパージ空気２６を通じて乾燥空気１１へ流出しない。デシカントロータ１の再生ゾーン９では、ハニカム構造のガス流路内に再生ガス１２が存在し、デシカントロータ１の回転により吸着ゾーン８に移動するが、吸着ゾーン８に移動する前にパージゾーン２４に移動し、ハニカム構造のガス流路内にある再生ガス１２はパージ空気２６と共に再生ガス流路に押し出される。したがって、ハニカム構造のガス流路内にある再生ガスが吸着ゾーン８まで移動することもなく、乾燥空気１１として流出しない。
【００４５】
第４の手段によれば、燃焼排ガス３０が流れていながら、処理空気ブロワ１４が稼動していないと、再生ガス１２が乾燥空気１１の配管へ流出するが、この流出を発生しない。
【００４６】
第５の手段によれば、高温ガス２７がデシカントロータ１の吸着剤やシール材に適当な温度より高温の場合でも、パージ空気２６の合流により再生ガス１２温度は高温ガス２７より充分低くなり、デシカントロータ１の吸着剤やシール材に適当な温度まで下がる。
【００４７】
第６の手段によれば、高温ガス２７がデシカントロータ１の吸着剤やシール材に適当な温度より高温の場合、高温ガス２７が流れていながら、パージ空気２６が流れていないと、再生ガス１２がデシカントロータ１の吸着剤やシール材に不適当なほど高温になってしまうが、この高温状態となることを防止する。
【００４８】
第７および第８の手段によれば、高温ガス２７の製造状態の変動で、再生ガス１２がデシカントロータ１の吸着剤やシール材に不適当なほど高温になる可能性がある。この場合、パージ空気２６の流量を増やすことにより再生ガス１２の温度を低下させ、高温状態となることを防止する。
【００４９】
第９の手段によれば、高温ガス２７がデシカントロータ１の吸着剤やシール材に適当な温度より高温の場合でも、大気の合流により再生ガス１２の温度は高温ガス２７より充分低くなり、デシカントロータ１の吸着剤やシール材にとって適当な温度まで下がる。
【００５０】
第１０の手段によれば、高温ガス２７の製造状態の変動で、再生ガス１２がデシカントロータ１の吸着剤やシール材に不適当なほど高温になる可能性がある。この場合、大気の流量を増やすことで再生ガス１２を温度低下させ、高温状態となることを防止する。
【００５１】
第１１の手段によれば、高温ガス２７がデシカントロータ１の吸着剤やシール材に適当な温度より高温の場合、高温ガス２７が流れているとき大気が流れていないと、再生ガス１２がデシカントロータ１の吸着剤やシール材に不適当なほど高温になってしまうが、この高温状態となることを防止する。
【００５２】
第１２の手段によれば、高温ガス２７がデシカントロータ１の吸着剤やシール材に適当な温度より高温の場合、高温ガス２７が流れているのにデシカント空調ユニットが非運転の場合は、デシカントロータ１の吸着剤やシール材に不適当なほど高温のガスが流れないようにする。なお、マイクロガスタービンの燃焼排ガス３０を用いた場合は、圧力損失が小さくなるので、発電量の低下が小さくなる。
【００５３】
第１３の手段によれば、高温ガス２７がデシカントロータ１の吸着剤やシール材に適当な温度より高温の場合、高温ガス２７が流れているのにパージ空気２６が供給されていないと、再生ガス１２がデシカントロータ１の吸着剤やシール材に不適当なほど高温になってしまうが、この高温状態となることを防止する。
【００５４】
第１４の手段によれば、高温ガス２７の製造状態の変動で、再生ガス１２がデシカントロータ１の吸着剤やシール材に不適当なほど高温になる可能性がある。この場合、高温ガス２７の流量を減らすことで再生ガス１２を温度低下させ、高温状態となることを防止する。
【００５５】
第１５の手段によれば、デシカント空調ユニットの停止時、燃焼排ガス３０の供給を停止した後、仮にすぐ処理空気ブロワ１４を停止すると、デシカントロータ１のハニカム内に再生ガス１２が残留したままで、大気温度まで温度低下する。燃料や燃焼条件によっては燃焼排ガスはＮＯｘやＳＯｘ等の酸性ガスを充分に含有するので、この状態では、吸着剤やハニカム基材の種類によっては腐食の可能性があるが、デシカントロータ１を充分な角度、回転させ、処理空気ブロワ１２を稼動させることでハニカム内から酸性ガス成分を含むガスを追い出す。この後で、非運転の放置状態になるので、腐食の可能性がない。
【００５６】
第１６の手段によれば、デシカント空調ユニットの停止時、燃焼排ガス３０の供給を停止した後、仮にすぐ処理空気ブロワ１４を停止すると、デシカントロータ１のハニカム内に再生ガス１２が残留したままで、大気温度まで温度低下する。燃料や燃焼条件によっては燃焼排ガスはＮＯｘやＳＯｘ等の酸性ガスを充分に含有するので、この状態では、吸着剤やハニカム基材の種類によっては腐食の可能性があるが、デシカントロータ１を充分な角度、回転させ、パージ空気２６によりハニカム内から酸性ガス成分を含むガスを追い出す。この後で非運転の放置状態になるので、腐食の可能性がない。また、処理空気流路を閉じているので、燃焼排ガス成分が空調空間に流入せず、大気に放出される。
【００５７】
第１７の手段によれば、空調空間からの還気は、大気と比べると冷房が施されているため、温度がより低く、かつ絶対湿度がより低く、大気と合流させた空気も大気より温度が高く絶対湿度が低い。この空気を処理空気１０とすると、製造される乾燥空気１１の絶対湿度はより低くなる。また、乾燥空気１１を変換して製造した冷房空気２３の温度は、絶対湿度が低いほど低くなるので、より低い冷房空気２３が製造される。そして、空調空間から一部空気を抜き出すので、換気機能も持つシステムになる。
【００５８】
第１８の手段によれば、第１７の手段により処理空気１０の絶対湿度は低くなると同時に相対湿度も低くなる。ところで図１０に吸着剤の吸着水分特性を示す。横軸は雰囲気の相対湿度であり、縦軸は単位吸着剤重量当たりの吸着水分量であるが、吸着剤Ｂ（５０）は相対湿度に増加に対する吸着水分量の増加が直接的であり低相対湿度領域での吸着水分量が小さい。これに対して吸着剤Ａ（４９）は低相対湿度領域に、相対湿度増加に対する吸着水分量増加が急峻な部分があり、低相対湿度領域でも吸着水分量が大きいが、相対湿度が０％に近い極低湿度領域では吸着水分量が小さい。吸着剤Ａ（４９）は例えばゼオライトであり、吸着剤Ｂ（５０）は例えばシリカゲルである。第１８の手段では、雰囲気相対湿度の増加に対する吸着水分量の増加が、相対湿度５％以下といった低相対湿度領域で急峻な部分を特性である材料を吸着剤として用いており、吸着課程と放出過程の繰り返しによる除湿量が、低相対湿度領域でも充分にある。このため、相対湿度のより低い処理空気１０からの除湿を充分に行うことができ、乾燥空気１１の絶対湿度がより低くなる。また乾燥空気１１を変換して製造した冷房空気２３の温度は、絶対湿度が低いほど低くなるので、より低い冷房空気２３が製造される。
【００５９】
第１９の手段によれば、燃焼排ガス３０を再生ガス１２に変換すると、デシカントロータ１の吸着材やシール材に適当な範囲で高温の再生ガス１２が、排熱により容易に製造できる。この再生ガス１２は相対湿度が充分に低いが、雰囲気相対湿度の増加に対する吸着水分量の増加が、相対湿度５％以下といった低相対湿度領域で急峻な部分を持つ特性である材料を吸着剤として用いると、第１８の手段で説明したように、吸着過程と放出過程の繰り返しによる除湿量が低相対湿度領域でも充分にある。このため、乾燥空気１１の絶対湿度がより低くなる。また乾燥空気１１を変換して製造した冷房空気２３の温度は、絶対湿度が低いほど低くなるので、より低い冷房空気２３が製造される。この吸着剤は例えばゼオライトである。
【００６０】
【発明の実施の形態】
以下、図１ないし図５に基づいて実施例１ないし実施例１９を説明する。
【００６１】
（実施例１）
図１を用いて実施例１を説明する。この実施例１では、処理空気ブロワ１４をデシカントロータ１より上流側に設置する。そして、デシカント空調ユニットの起動を、処理空気ブロワ１４を起動してから燃焼排ガス３０を供給する順序で行う。
この場合、処理空気流路の静圧が再生ガス流路の静圧より高いので、再生ガス１２は乾燥空気１１中へ流出しない。再生ガスブロワ１５は、図１に描いてあるが、この実施例１では不要である。
【００６２】
（実施例２）
図１を用いて実施例２を説明する。燃焼排ガス３０は、冷却されるか、より温度の低いガスの混入により適当な温度まで低下し、再生ガス１２となる。この過程は、図１では図示省略した。
この実施例２では、再生ガスブロワ１５をデシカントロータ１より下流側に設置する。そして、デシカント空調ユニットの起動を、再生ガスブロワ１５を起動してから燃焼排ガス３０を供給する順序で行う。処理空気流路の静圧が再生ガス流路の静圧より高いので、再生ガス１２が乾燥空気１１へ流出することはない。
【００６３】
（実施例３）
図２を用いて実施例３を説明する。図２には再生ガスブロワ１５、弁３４および弁４１が示されているが、この実施例３では不要である。
図２に示すように、デシカントロータ１の吸着剤が再生ゾーン９から吸着ゾーン８に移動する間の領域にパージゾーン２４を設け、パージ空気２５を供給するブロワである処理空気ブロワ１４をデシカントロータ１より上流側に設置する。そして、デシカント空調ユニットの起動を、処理空気ブロワ１４によりパージ空気２５をデシカントロータ１に流通させてから、燃焼排ガス３０を供給する順序で行う。
パージ空気流路の静圧が再生ガス流路の静圧より高いので、再生ガス１２はパージ空気２６へ流出せず、再生ガス１２がパージ空気２６を通じて乾燥空気１１へ流出することはない。
デシカントロータ１の再生ゾーン９では、ハニカム流路内に再生ガス１２が存在し、デシカントロータ１の回転により、吸着ゾーン８に向って移動し始めるが、吸着ゾーン８に移動する前にパージゾーン２４に移動し、ハニカム流路内の再生ガス１２はパージ空気２６と共に再生ガス流路に押し出される。このため、ハニカム流路内の再生ガスが吸着ゾーン８まで移動することもなく、乾燥空気１１へ流出することもない。
【００６４】
（実施例４）
図１を用いて実施例４を説明する。この実施例４では、燃焼排ガス３０は冷却されるか、より温度の低いガスの混入により適当な温度まで低下し再生ガス１２となる。この過程は、図１では図示省略されている。また、再生ガスブロワ１５はなくてもよい。
この実施例４において、デシカント空調ユニットの運転を停止する時は、燃焼排ガス３０の供給を停止してから、処理空気ブロワ１４を停止する。燃焼排ガス３０が流れているとき、処理空気ブロワ１４が稼動していないと、再生ガス１２が乾燥空気１１の配管へ流出するが、この流出を発生しない。
【００６５】
（実施例５）
図２を用いて実施例５を説明する。この実施例５では、高温ガス２７は充分高温であればよく、燃焼排ガス３０でもよい。図２には、再生ガスブロワ１５、弁３４および弁４１が示されているが、この実施例５では不要である。
図２に示すように、デシカントロータ１の吸着剤が、再生ゾーン９から吸着ゾーン８に移動する間の領域にパージゾーン２４を設け、出口パージ空気２６を高温ガス２７と合流させて再生ガス１２とする構成とする。そして、入口再生ガス１２の温度がデシカントロータ１の吸着剤とシール材に、適当な温度まで低くなるような流量のパージ空気２６を流す。
これにより、高温ガス２７が、デシカントロータ１の吸着剤やシール材に適当な温度より高温の場合でも、パージ空気２６の合流により再生ガス１２の温度は高温ガス２７より充分低くなり、デシカントロータ１の吸着剤やシール材に適当な温度まで下がる。なお、高温ガス２７の温度計測は、再生ゾーン９の入口側のケーシング６内部に温度センサを設置する、等して実施する。
【００６６】
（実施例６）
図２を用いて実施例６を説明する。この実施例６では、高温ガス２７は充分高温であれば、燃焼排ガス３０であってもなくてもよい。図２には再生ガスブロワ１５、弁３４および弁４１が示されているが、この実施例６では不要である。
図２に示すように、デシカントロータ１の吸着剤が再生ゾーン９から吸着ゾーン８に移動する間の領域にパージゾーン２４を設け、出口パージ空気２６を高温ガス２７と合流させて再生ガス１２とする構成とする。そして、デシカント空調ユニットの起動を、出口パージ空気２６を高温ガス２７の流路に流入させてから、高温ガス２７を供給する順序で行う。
高温ガス２７が、デシカントロータ１の吸着剤やシール材に適当な温度より高温の場合、高温ガス２７が流れているときパージ空気２６が流れていないと、再生ガス１２がデシカントロータ１の吸着剤やシール材に不適当なほど高温になってしまうが、この高温状態となることを防止する。
なお、高温ガス２７の温度計測は、再生ゾーン９の入口側のケーシング６内部に温度センサを設置する、等して実施する。
【００６７】
（実施例７）
図２を用いて実施例７を説明する。高温ガス２７は充分高温であれば、燃焼排ガス３０であってもなくてもよい。図２には、再生ガスブロワ１５、弁３４および弁４１が示されているが、この実施例７では不要である。
図２に示すように、デシカントロータ１の吸着剤が再生ゾーン９から吸着ゾーン８に移動する間の領域にパージゾーン２４を設け、出口パージ空気２６を高温ガス２７と合流させて再生ガス１２とする構成とする。そして、入口再生ガス１２が充分高温の場合、パージ空気２６を送風させる処理空気ブロワ１４の回転数を大きくする。高温ガス２７の製造状態の変動で、再生ガス１２がデシカントロータ１の吸着剤やシール材に不適当なほど高温になることを防止する必要がある。
この対策として、パージ空気２６の流量を増やすことで再生ガス１２を温度低下させ、高温状態となることを防止する。なお、高温ガス２７の温度計測は、再生ゾーン９の入口側のケーシング６内部に温度センサを設置する、等して実施する。
【００６８】
（実施例８）
図２を用いて実施例８を説明する。この実施例８では、高温ガス２７は充分高温であればよく、燃焼排ガス３０でもよい。そして、再生ガスブロワ１５および弁４１は、不要である。
図２に示すように、デシカントロータ１の吸着剤が再生ゾーン９から吸着ゾーン８に移動する間の領域にパージゾーン２４を設け、出口パージ空気２６を高温ガス２７と合流させて再生ガス１２とし、パージ空気２６流量を調節する弁３４を具備した構成とする。そして、入口再生ガス１２が充分高温の場合、弁３４の開度を大きくする。ここで、高温ガス２７の製造状態の変動で、再生ガス１２がデシカントロータ１の吸着剤やシール材に不適当なほど高温になることを防止する必要がある。
この対策として、パージ空気２６の流量を増やすことで再生ガス１２を温度低下させ、高温状態となることを防止する。なお、高温ガス２７の温度計測は、再生ゾーン９の入口側のケーシング６内部に温度センサを設置する、等して実施する。
【００６９】
（実施例９）
図３を用いて実施例９を説明する。この実施例９では、高温ガス２７は充分高温であればよく、燃焼排ガス３０でもよい。そして、大気３５を高温ガス２７と合流させて再生ガス１２とする配管３７を設け、再生ガスブロワ１５を合流箇所より下流側に設置する。
この実施例９では、高温ガス２７が、デシカントロータ１の吸着剤やシール材に適当な温度より高温の場合でも、大気３５の合流により再生ガス１２の温度は高温ガス２７より充分低くなり、デシカントロータ１の吸着剤やシール材に適当な温度まで下がる。なお、高温ガス２７の温度計測は、再生ゾーン９の入口側にあるケーシング６の内部に温度センサを設置する、等して実施する。
【００７０】
（実施例１０）
図３を用いて実施例１０を説明する。この実施例１０では、高温ガス２７は充分高温であればよく、燃焼排ガス３０でもよい。そして、大気３５を高温ガス２７と合流させて再生ガス１２とする大気配管３７を設け、大気配管３７に大気３５の流量を調節する弁３６を具え、再生ガスブロワ１５を弁３６より下流側に設置した構成とする。そして、入口再生ガス１２が充分高温の場合、弁３６の開度を大きくする。
ここで、高温ガス２７の製造状態の変動で、再生ガス１２がデシカントロータ１の吸着剤やシール材に不適当なほど高温になる可能性がある。
この対策として、大気３５の流量を増やすことで再生ガス１２を温度低下させ、高温状態となることを防止する。なお、高温ガス２７の温度計測は、再生ゾーン９の入口側のケーシング６内部に温度センサを設置する、等して実施する。
【００７１】
（実施例１１）
図３を用いて実施例１１を説明する。この実施例１１では、高温ガス２７は充分高温であればよく、燃焼排ガス３０でもよい。そして、大気３５を高温ガス２７と合流させて再生ガス１２とする大気配管３７を設け、大気配管３７に開閉弁３６を具備し、再生ガスブロワ１５を開閉弁３６より下流側に設置した構成とする。このような構成として、デシカント空調ユニットの起動を、開閉弁３６を開放し、再生ガスブロワ１５を稼動させ、大気３５を高温ガス２７の流路に流入させてから、高温ガス２７を供給する順序で行う。
この実施例１１において、高温ガス２７が、デシカントロータ１の吸着剤やシール材に適当な温度より高温の場合、高温ガス２７が流れているとき大気３５が流れていないと、再生ガス１２がデシカントロータ１の吸着剤やシール材に不適当なほど高温になってしまうが、この高温状態となる不具合を防止する。
【００７２】
（実施例１２）
図４を用いて実施例１２を説明する。この実施例１２において、高温ガス２７は充分高温であればよく、燃焼排ガス３０でもよい。再生ガスブロワ１５はなくてもよい。そして、高温ガス２７をデシカントロータ１に送風する配管を分岐し、大気に高温ガス２７を放出する配管３８を設け、放出配管３８と、高温ガス配管の分岐点より下流位置にそれぞれ開閉弁３９，４０を設けた構成とする。このような構成として、デシカント空調ユニットの非運転時に高温ガス２７を発生させるときは、開閉弁３９を開き、開閉弁４０を閉じる。
これにより、高温ガス２７が、デシカントロータ１の吸着剤やシール材に適当な温度より高温の場合、高温ガス２７が流れているときデシカント空調ユニットが非運転の場合は、デシカントロータ１の吸着剤やシール材に不適当なほど高温のガスが流れないようにする。なお、マイクロガスタービンの燃焼排ガス３０を用いた場合は、圧力損失が小さくなるので、発電量の低下が小さくなる。
【００７３】
（実施例１３）
図４を用いて実施例１３を説明する。この実施例１３では、高温ガス２７は充分高温であればよく、燃焼排ガス３０でもよい。再生ガスブロワ１５はなくてもよい。そして、デシカントロータ１にパージ空気２５を流通させるパージゾーン２４を設け、高温ガス２７をデシカントロータ１に送風する配管を分岐し、大気に高温ガス２７を放出する配管３８を設け、この放出配管３８と、高温ガス２７の配管の分岐点より下流位置にそれぞれ開閉弁３９，４０を設けた構成とする。このような構成として、デシカント空調ユニットの運転を停止する時は、開閉弁３９を開き、開閉弁４０を閉じてから、パージ空気２６を供給するブロワを停止する。
これにより、高温ガス２７が、デシカントロータ１の吸着剤やシール材に適当な温度より高温の場合、高温ガス２７が流れているときパージ空気２６が供給されていないと、再生ガス１２がデシカントロータ１の吸着剤やシール材に不適当なほど高温になってしまうが、この高温状態となる不具合を防止する。
【００７４】
（実施例１４）
図４を用いて実施例１４を説明する。この実施例１４では、高温ガス２７は充分高温であればよく、燃焼排ガス３０でもよい。再生ガスブロワ１５はなくてもよい。そして、高温ガス２７をデシカントロータ１に送風する配管を分岐し、大気に高温ガス２７を放出する配管３８を設け、この放出配管３８と、高温ガス配管の分岐点より下流位置にそれぞれ開閉弁３９，４０を設けた構成とする。そして、入口再生ガス１２が充分高温の場合、開閉弁３９の開度を大きくするか、または開閉弁４０の開度を小さくする。
この実施例１４において、高温ガス２７の製造状態の変動で、再生ガス１２がデシカントロータ１の吸着剤やシール材に不適当なほど高温になる可能性がある。この場合、高温ガス２７の流量を減らすことで再生ガス１２の温度を低下させ、高温状態となることを防止する。なお、高温ガス２７の温度計測は、再生ゾーン９の入口側のケーシング６内部に温度センサを設置する、等して実施する。
【００７５】
（実施例１５）
図２を用いて実施例１５を説明する。図２には、再生ガスブロワ１５、弁３４および弁４１が示されているが、この実施例１５では不要である。そして、デシカント空調ユニットの停止時、燃焼排ガス３０の供給を停止した後、デシカントロータ１を充分な角度、回転させた後、処理空気ブロワ１４を停止する。
デシカント空調ユニットの停止時、燃焼排ガス３０の供給を停止した後、仮にすぐ処理空気ブロワ１４を停止すると、デシカントロータ１のハニカム内に再生ガス１２が残留したままで、大気温度まで温度低下する。
燃料や燃焼条件によっては燃焼排ガスはＮＯｘやＳＯｘ等に酸性ガスを純分に含有するので、この状態では、吸着剤やハニカム基材の種類によっては腐食の可能性があるが、デシカントロータ１を充分な角度だけ回転させ、処理空気ブロワ１２を稼動させることで、ハニカム内から酸性ガス成分を含むガスを追い出す。この後で、非運転の放置状態になるので、腐食の可能性がない。
【００７６】
（実施例１６）
図２を用いて実施例１６を説明する。この実施例１６では、再生ガスブロワ１５および弁３４は不要である。そして、デシカントロータ１にパージ空気２５を流通させるパージゾーン２４を設け、パージ空気２５を供給するブロワをデシカントロータ１より上流側に設置し、処理空気の流路に開閉弁４１を設けた構成とする。そして、デシカント空調ユニットの停止時、燃焼排ガス３０の供給を停止した後、開閉弁４１を閉じ、デシカントロータ１を充分に回転させた後、パージ空気２５を供給するブロワを停止する。
この実施例１６では、デシカント空調ユニットの停止時、燃焼排ガス３０の供給を停止した後、仮にすぐ処理空気ブロワ１４を停止すると、デシカントロータ１のハニカム内に再生ガス１２が残留したままで、大気温度まで温度低下する。
燃料や燃焼条件によっては燃焼排ガスはＮＯｘやＳＯｘ等の酸性ガスを充分に含有するので、この状態では、吸着剤やハニカム基材の種類によっては腐食の可能性があるが、デシカントロータ１を充分な角度だけ回転させ、パージ空気２６によりハニカム内から酸性ガス成分を含むガスを追い出し、吸着剤やハニカム基材には残さない。この後で非運転の放置状態になるので、腐食の可能性がない。また、処理空気の流路を閉じているので、燃焼排ガス成分が空調空間に流入せず、大気中に放出される。
【００７７】
（実施例１７）
図５を用いて実施例１７を説明する。この実施例１７では、再生ガスブロワ１５はなくてもよい。そして、処理空気ブロワ１４より上流の大気配管４２に、空調空間４４の空気、すなわち還気４３の配管を合流させる構成とする。空調空間４４からの還気４３は、大気３２と比べると冷房が施されているため、温度がより低く、かつ絶対湿度がより低く、大気３２と合流させた空気も大気より、温度が高く絶対湿度が低い。
この空気を処理空気１０とすると、製造される乾燥空気１１の絶対湿度はより低くなる。また乾燥空気１１を変換して製造した冷房空気２３の温度は、絶対湿度が低いほど低くなるので、より低い冷房空気２３が製造される。
また、空調空間４４から一部空気を抜き出すので、換気機能も持つシステムになる。還気弁３８はなくてもよいが、全閉にすれば空調空間４４からの還気４３のない運転にすることもでき、また大気３２と還気４３の流量割合を調節することもできる。
【００７８】
（実施例１８）
図５を用いて実施例１８を説明する。この実施例１８では、再生ガスブロワ１５はなくてもよい。実施例１７と同じ構成とし、雰囲気相対湿度の増加に対する吸着水分量の増加が、相対湿度５％以下の領域で急峻な部分を持つ特性である材料、例えばゼオライトを、デシカントロータ１の吸着剤として用いる。第１７の手段により処理空気１０の絶対湿度は低くなるが同時に相対湿度も低くなる。この特性の吸着剤では吸着過程と放出過程の繰り返しによる除湿量が、低相対湿度領域でも充分にある。このため、相対湿度のより低い処理空気１０からの除湿を充分に行うことができ、乾燥空気１１の絶対湿度がより低くなる。また乾燥空気１１を変換して製造した冷房空気２３の温度は、絶対湿度が低いほど低くなるので、より低い冷房空気２３が製造される。
【００７９】
（実施例１９）
図２を用いて実施例１９を説明する。この実施例１９では、再生ガスブロワ１５はなくてもよい。そして、燃焼排ガス３０を再生ガス１２に変換する構成で、デシカントロータ１の吸着剤としてゼオライトを使用する。燃焼排ガス３０を再生ガス１２に変換すると、デシカントロータ１の吸着材やシール材に適当な範囲の高温の再生ガス１２が、排熱により容易に製造できる。
この再生ガス１２は相対湿度が充分に低いが、雰囲気相対湿度の増加に対する吸着水分量の増加が、相対湿度５％以下の領域で急峻な部分を持つ特性である材料、例えばゼオライトを、デシカントロータ１の吸着剤として用いると、吸着過程と放出過程の繰り返しによる除湿量が低相対湿度領域でも充分にある。このため、乾燥空気１１の絶対湿度がより低くなる。また、乾燥空気１１を変換して製造した冷房空気２３の温度は、絶対湿度が低いほど低くなるので、より低い冷房空気２３が製造される。
【００８０】
【発明の効果】
本発明によれば、次のような効果が得られる。
請求項１ないし４記載の発明によれば、燃焼排ガス３０の成分が、居住空間などの空調空間に流入することを防止できる。
【００８１】
請求項５ないし１４記載の発明によれば、デシカントロータ１の吸着剤やシール材を耐熱温度に曝すことを防止でき、また再生ガスの温度を正常に作用するのに適切な温度域に保持させることができる。
【００８２】
請求項１５および１６記載の発明によれば、デシカントロータ１を構成する吸着剤やハニカム基材を腐食し難くすることができる。
【００８３】
請求項１７ないし１９記載の発明によれば、より低温の冷房空気やより絶対湿度の低い乾燥空気を得ることができる。
【図面の簡単な説明】
【図１】本発明の第１，２および４の実施例を示す概略図。
【図２】本発明の第３，５，６，７，８，１５，１６および１８の実施例を示す概略図。
【図３】本発明の第９，１０および１１の実施例を示す概略図。
【図４】本発明の第１２，１３および１４の実施例を示す概略図。
【図５】本発明の第１７の実施例を示す概略図。
【図６】従来の除湿装置を示す第１の概略図。
【図７】従来の冷房装置を示す第２の概略図。
【図８】従来のパージ空気のフロー構成例を示す第３の概略図。
【図９】従来の排ガスを再生ガスとする構成を示す第４の概略図。
【図１０】吸着剤の水分吸着特性を示す図。
【符号の説明】
１  デシカントロータ
２  駆動ベルト
３  モータ
４  第１の仕切板
５  第２の仕切板
６  第１のケーシング
７  第２のケーシング
８  吸着ゾーン
９  再生ゾーン
１０  処理空気
１１  乾燥空気
１２  再生ガス（入口再生ガス）
１３  出口再生ガス
１４  処理空気ブロワ
１５  再生ガスブロワ
１６  大気
１７  加熱器
１８  顕熱冷却器
１９  冷却水
２０  中温乾燥空気
２１  水噴霧器
２２  上水
２３  冷房空気
２４  パージゾーン
２５  パージ空気（入口パージ空気）
２６  出口パージ空気
２７  高温ガス
２８  燃料
２９  燃焼用空気
３０  燃焼排ガス
３１  冷却水
３２  大気
３３  シール構造
３４  パージ空気流量調節弁
３５  大気
３６  大気弁
３７  大気配管
３８  放出配管
３９  放出配管弁
４０  高温ガス弁
４１  処理空気開閉弁
４２  大気配管
４３  還気
４４  空調空間
４５  排ガス冷却器
４６  ロータ回転方向
４７  マイクロガスタービン
４８  還気弁
４９  吸着剤Ａ
５０  吸着剤Ｂ
【図１】
2004257710.tif 000003
【図２】
2004257710.tif 000004
【図３】
2004257710.tif 000005
【図４】
2004257710.tif 000006
【図５】
2004257710.tif 000007
【図６】
2004257710.tif 000008
【図７】
2004257710.tif 000009
【図８】
2004257710.tif 000010
【図９】
2004257710.tif 000011
【図１０】
2004257710.tif 000012